(57)【要約】【課題】警報表示盤近傍に監視カメラ部を設置し警報表示盤を警報停止操作する担当、遠隔地のモニタ装置で確認すると共に異常状態表示を確認する担当、現場の設備に異常模擬信号を入力して確認試験を開始する担当、の３人もの担当者を配する必要がある。【解決手段】プラントを構成する設備２Ｇ，２Ｍ，・・の異常時に警報する警報表示盤５の警報警報表示窓５Ｇ，５Ｍ，・・を撮影する監視カメラ部６１を有すると共に前記警報表示盤の警報を停止する警報停止機能を有する第１の警報確認装置６、及びこの第１の警報確認装置と無線通信システムで接続され前記監視カメラ部による撮影画像を表示する監視モニタ部７１と前記警報停止機能を作動させる警報停止機能を有する携帯形の第２の警報確認装置７を備えている。【選択図】        図１
2004240666.tif 000002
【特許請求の範囲】
【請求項１】
プラントを構成する設備の異常時に警報する警報表示盤の警報警報表示窓を撮影する監視カメラ部を有すると共に前記警報表示盤の警報を停止する警報停止機能を有する第１の警報確認装置、及びこの第１の警報確認装置と無線通信システムで接続され前記監視カメラ部による撮影画像を表示する監視モニタ部と前記警報停止機能を作動させる警報停止機能を有する携帯形の第２の警報確認装置を備え、前記第２の警報確認装置の警報停止機能により前記第１の警報確認装置の警報停止機能を作動させることにより前記警報表示盤の警報を停止するプラントの警報表示確認システム。
【請求項２】
請求項１に記載のプラントの警報表示確認システムにおいて、前記第１の警報確認装置が前記警報表示盤の警報動作をリセットする警報リセット機能を有し、前記第２の警報確認装置が前記第１の警報確認装置の警報リセット機能を作動させる警報リセット機能を有していることを特徴とするプラントの警報表示確認システム。
【請求項３】
請求項１及び請求項２の何れか一に記載のプラントの警報表示確認システムにおいて、前記警報表示盤における警報停止機能を司る第１の警報停止スイッチと並列をなす第２の警報停止スイッチを前記第１の警報確認装置に設け、前記第２の警報確認装置により前記第２の警報停止スイッチを作動させて警報を停止することを特徴とするプラントの警報表示確認システム。
【請求項４】
請求項１及び請求項２の何れか一に記載のプラントの警報表示確認システムにおいて、前記警報表示盤における警報停止機能を司る第１の警報停止スイッチを作動させる第１のコントロ−ラを前記警報表示盤に設けると共に、前記第１のコントロ−ラを作動させる第２のコントロ−ラを前記第１の警報確認装置に設け、前記第２の警報確認装置により前記第２のコントロ−ラを作動させて警報を停止することを特徴とするプラントの警報表示確認システム。
【発明の詳細な説明】
【０００１】
【発明の属する技術分野】
この発明は、例えば発電プラントにおける発電機出力、周波数、励磁、バルブ等の警報表示を行う場合等に使用されるプラントの警報表示確認システムに関するものである。
【０００２】
【従来の技術】
従来、ビルの空調システム及び給排水システムにおける警報表示確認システムとしては、例えば特開平１１−１８７３８２号公報に記載のように、監視対象設備を監視する監視盤の警報表示部の警報表示や警報音発生部の警報音に応動して撮像方向制御やズ−ム制御が行われる監視カメラ部部により監視盤およびその周辺を撮影し、撮影した画像を遠隔地に設置のモニタ装置に表示し、当該モニタ装置により遠隔地のビル管理人が監視盤およびその周辺を見ることができるようにしたものがある。
【０００３】
【特許文献１】
特開平１１−１８７３８２号公報（段落番号００１０〜００１８、図１〜２）
【０００４】
ところで、例えば、発電プラントや鉄鋼プラント等の所謂プラントにおいて、プラントの各種設備は、各種設備が設置されている現場から数１０メ−トル離れた位置に設置された中央制御室において前記各種設備の状態監視や制御が行われる。前記各種設備の状態監視は前記中央制御室における監視盤により、前記各種設備の制御は前記中央制御室における制御盤により、それぞれ行なわれ、また、前記各種設備の状態監視のうち、前記各種設備の異常状態の警報は前記監視盤のうちの警報表示盤により行なわれる。
【０００５】
このようなプラントにおける警報表示盤においては、顧客に製品納入する前に、場合によっては製品納入後の定期点検時に、試験装置により各種設備に異常模擬信号を入力し、警報表示盤が所期の警報表示動作、例えば警報表示窓への所期の異常状態表示、所期の警報音の発生等、を行なうかどうか確認試験を行なう。
【０００６】
【発明が解決しようとする課題】
このようなプラントにおける確認試験に、例えば前述の特開平１１−１８７３８２号公報に記載のような監視システムを導入すれば、前記中央制御室における警報表示盤から離れた前記中央制御室以外の場所で、前記確認試験時に前記警報表示盤が所期の警報表示動作、例えば警報表示窓への所期の異常状態表示、所期の警報音の発生等、を行なっているかどうか確認することが理論上できるが、仮に当該監視システムをプラントに導入した場合、プラントにおいては、異常模擬信号を入力する前記現場の各種設備、前記警報表示盤、前記遠隔地のモニタ装置、の相互間距離が前述のように数１０メ−トルもあるので、一人で中央制御室の警報表示盤近傍に監視カメラ部を設置した後、遠隔地のモニタ装置設置場所まで移動して監視カメラ部での撮影範囲が的確かどうか確認し、その後現場に移動して当該現場の設備に異常模擬信号を入力して確認試験を開始した後、再び遠隔地のモニタ装置設置場所まで移動してモニタ装置で異常状態表示を確認することになり、更に、前記特許文献１には記載が無いが、警報を停止する場合は、更に中央制御室の警報表示盤まで移動して警報表示盤を警報停止操作する必要があり、このようなことは、物理的にも時間的にも不可能に近く、従って、中央制御室の警報表示盤近傍に監視カメラ部を設置したり警報表示盤を警報停止操作する担当、監視カメラ部での撮影範囲が的確かどうか遠隔地のモニタ装置で確認すると共に異常状態表示を確認する担当、現場の設備に異常模擬信号を入力して確認試験を開始する担当、の３人の担当者を配する必要がある。
【０００７】
この発明は、前述のような実情に鑑みてなされたもので、プラントにおいて確認試験等の警報表示のモニタ装置での確認を、３人もの担当者を配することなく可能とすることを目的とするものである。
【０００８】
【課題を解決するための手段】
この発明に係るプラントの警報表示確認システムは、プラントを構成する設備の異常時に警報する警報表示盤の警報警報表示窓を撮影する監視カメラ部を有すると共に前記警報表示盤の警報を停止する警報停止機能を有する第１の警報確認装置、及びこの第１の警報確認装置と無線通信システムで接続され前記監視カメラ部による撮影画像を表示する監視モニタ部と前記警報停止機能を作動させる警報停止機能を有する携帯形の第２の警報確認装置を備え、前記第２の警報確認装置の警報停止機能により前記第１の警報確認装置の警報停止機能を作動させることにより前記警報表示盤の警報を停止するものである。
【０００９】
【発明の実施の形態】
実施の形態１．
以下、この発明を発電プラントの警報試験確認システムとして実施した場合の実施形態の一例を図１及び図２により説名する。図１はプラントの警報表示確認システムの構成例を示す図、図２は警報表示盤における警報停止機能を司る第１の警報停止スイッチと並列をなす第２の警報停止スイッチを第１の警報確認装置に設け第２の警報確認装置により第２の警報停止スイッチを作動させて警報を停止する接続例を示す図である。
【００１０】
図１及び図２において、プラントの警報表示確認システムは、発電プラント１の発電機Ｇ、電動機Ｍ、バルブＶ、・・・等の各種設備２Ｇ、２Ｍ、２Ｖ、・・・２Ｎと、それぞれ対応する設備２Ｇ、２Ｍ、２Ｖ、・・・２Ｎを制御すると共にそれぞれ対応する設備２Ｇ、２Ｍ、２Ｖ、・・・２Ｎからそれらの状態信号を得て各自の記憶装置（図示省略）に保存する制御装置３Ｇ、３Ｍ、・・・３Ｎと、中央制御室４の警報表示盤５と、前記中央制御室４内の前記警報表示盤５の近くに準備された可搬式の警報試験確認装置本体からなる第１の警報確認装置６と、この第１の警報確認装置６と無線通信システム６７ＲＦＴで接続された携帯形の第２の警報確認装置７とで構成されている。
【００１１】
前記制御装置３Ｇ、３Ｍ、・・・３Ｎは、各自に格納された自動制御プログラムと前記中央制御室４の制御盤（図示省略）からの制御指令とにより、対応する設備２Ｇ、２Ｍ、・・・２Ｎを制御する。また、前記制御装置３Ｇ、３Ｍ、・・・３Ｎは、それぞれ対応する設備２Ｇ、２Ｍ、・・・２Ｎからそれらの状態信号を得て定常状態信号と異常状態信号とを各自の記憶装置（図示省略）に別々に保存する。
【００１２】
前記中央制御室４の警報表示盤５は、前記各制御装置３Ｇ、３Ｍ、・・・３Ｎの各々の異常状態信号を得て当該異常状態信号が警報すべき状態の信号である場合にその対応設備、制御装置に対応する警報表示窓５Ｇ、５Ｍ、・・・５Ｎに警報表示すると共にブザ−等の警報音発生装置５Ｂ（図２に図示。図１への図示は省略）により警報音を発する。前記警報表示窓５Ｇ、５Ｍ、・・・５Ｎは、前記制御装置３Ｇ、３Ｍ、・・・３Ｎ単位に設けられており、また、対応制御装置における異なる異常要素、例えば、電圧、周波数、位相、回転数、バルブ開度、等々、に対して共用してもよいし、別個にしてもよい。また、前記警報表示盤５には、前記警報表示窓５Ｇ、５Ｍ、・・・５Ｎの警報表示および警報音発生装置５Ｂの警報音を停止する第１の警報停止スイッチ５ＳＡ、および警報動作状態をリセットする第１の警報リセットスイッチ５ＳＲが設けられている。
【００１３】
また、前記警報表示盤５には、図２に示す警報動作回路が警報対象設備設備２Ｇ、２Ｍ、２Ｖ、・・・２Ｎ毎に、即ち前記制御装置３Ｇ、３Ｍ、・・・３Ｎ毎に設けられており、当該警報動作回路は、前記警報すべき場合に閉じられるリレ−出力５１と、常開接点５ＳＡａと常閉接点５ＳＡｂとで構成される前記第１の警報停止スイッチ５ＳＡと、前記警報音発生装置５Ｂと、前記警報音発生装置５Ｂと並列をなすフリッカ回路５２と、このフリッカ回路５２によって点滅制御されるランプ、発光ダイオ−ド等の発光器５３とが図示のように接続されて構成されている。
【００１４】
前記可搬式の警報試験確認装置本体からなる第１の警報確認装置６は、前記警報表示盤５の警報表示窓５Ｇ、５Ｍ、・・・５Ｎのうちの所望の警報表示窓を撮影する監視カメラ部６１と、図２に示すように接続ケ−ブル６２を介して前記警報表示盤５の第１の警報停止スイッチ５ＳＡに並列接続される第２の警報停止スイッチ６ＳＡと、前記警報表示盤５の第１の警報リセットスイッチ５ＳＲと並列をなす第２の警報リセットスイッチ６ＳＲと、無線通信制御部６３とを有している。なお、前記第２の警報停止スイッチ６ＳＡは、警報停止駆動されると閉じる常開接点６ＳＡａと、警報停止駆動されると開く常閉接点６ＳＡｂとを有し、これら常開接点６ＳＡａおよび常閉接点６ＳＡｂは前記接続ケ−ブル６２を介して前記警報表示盤５の警報動作回路に図２に示すように接続されている。
【００１５】
前記携帯形の第２の警報確認装置７は、前記監視カメラ部６１による撮影画像を表示する監視モニタ部７１と、警報停止スイッチ操作ボタン７ＳＡと、警報リセットスイッチ操作ボタン７ＳＲと、前記第１の警報確認装置６の無線通信制御部６３と無線回線７２を介して接続された無線通信制御部７３とを有している。前記無線通信制御部７３は、前記第１の警報確認装置６の無線通信制御部６３から前記第１の警報確認装置６の監視カメラ部６１の撮像画像信号を受信して前記監視モニタ部７１に当該監視カメラ部６１が撮影した画像を表示する。前記無線通信制御部７３は、前記警報停止スイッチ操作ボタン７ＳＡの操作時に警報停止信号を前記第１の警報確認装置６の無線通信制御部６３に送信して前記第１の警報確認装置６の警報停止スイッチ６ＳＡを警報停止動作させ、当該警報停止スイッチ６ＳＡの常閉接点６ＳＡｂを開くと共に常開接点６ＳＡａを閉じる。また、前記無線通信制御部７３は、前記警報リセットスイッチ操作ボタン７ＳＲの操作時にはリセット信号を前記第１の警報確認装置６の無線通信制御部６３に送信して前記第１の警報確認装置６の第２の警報リセットスイッチ６ＳＲを閉じる。なお、前記無線通信制御部６３と無線回線７２と前記無線通信制御部７３と無線通信システム６７ＲＦＴを構成している。
【００１６】
次に、発電プラント等における警報試験の場合を例に、警報表示確認の動作説明を図１および図２によって行う。発電プラント等において警報試験をする場合、担当者Ａは、第１の警報確認装置６を図２に示すように接続ケ−ブル６２を介して警報表示盤５に接続し、警報試験対象の設備、例えば設備２Ｇ、の制御装置３Ｇに対応する警報表示盤５の警報表示窓５Ｇを監視カメラ部６１が撮影できるように第１の警報確認装置６を移動し、第１の警報確認装置６を起動する。
【００１７】
第１の警報確認装置６の起動により監視カメラ部６１も起動しているので、担当者Ａは、第２の警報確認装置７を起動し、第２の警報確認装置７の監視モニタ部７１に、前記警報試験対象設備２Ｇの制御装置３Ｇに対応する警報表示盤５の警報表示窓５Ｇが所望通り表示されているか確認し、表示がずれていたり焦点があっていない場合には前記監視カメラ部６１の角度や焦点の調整をし、所望通り表示されれば、前記警報試験対象設備２Ｇの制御装置３Ｇの設置場所へ第２の警報確認装置７を所持して移動する。
【００１８】
次いで、担当者Ａは、周知の通り試験装置（図示省略）を使って、前記警報試験対象設備２Ｇの制御装置３Ｇに試験信号（模擬異常信号）、例えば異常出力を入力する。この試験信号の入力により、前記警報試験対象設備２Ｇの制御装置３Ｇに対応する警報表示盤５が異常警報すべきと判断し、図２のリレ−出力５１が閉じ、警報音発生装置５Ｂが警報音を発生すると共に、フリッカ回路５２により前記警報試験対象設備２Ｇの制御装置３Ｇに対応する警報表示盤５の警報表示窓５Ｇの発光器５３が点滅し、この点滅状態下で該警報表示窓５Ｇに異常内容、例えば出力異常の文字、出力値等が表示、即ち警報表示される。
【００１９】
担当者Ａは、当該警報表示している警報表示盤５の場所まで移動することなく、前記試験信号を入力している制御装置３Ｇのそばで、前記所持している第２の警報確認装置７により、前記警報表示盤５の警報表示窓５Ｇの警報表示を確認する。所望の警報表示がされていることが確認できれば、担当者Ａは第２の警報確認装置７の警報停止スイッチ操作ボタン７ＳＡを操作する。警報停止スイッチ操作ボタン７ＳＡが操作されると、第１の警報確認装置６の第２の警報停止スイッチ６ＳＡが作動し、その常閉接点６ＳＡｂが開いて警報音発生装置５Ｂおよびフリッカ回路５２が停止し、また、前記第２の警報停止スイッチ６ＳＡの常開接点６ＳＡａが閉じて発光器５３は連続点灯し前記警報表示は無くなる。
【００２０】
担当者Ａは、引き続き、前記警報試験対象設備２Ｇの制御装置３Ｇに試験信号（模擬異常信号）、例えば異常回転数を入力する。この試験信号の入力により、前述と同様に、前記警報試験対象設備２Ｇの制御装置３Ｇに対応する警報表示盤５が異常警報すべきと判断し、図２のリレ−出力５１が閉じ、警報音発生装置５Ｂが警報音を発生すると共に、フリッカ回路５２により前記警報試験対象設備２Ｇの制御装置３Ｇに対応する警報表示盤５の警報表示窓５Ｇの発光器５３が点滅し、この点滅状態下で該警報表示窓５Ｇに異常内容、例えば回転数異常の文字、出力値等が表示、即ち警報表示される。
【００２１】
担当者Ａは、前述と同様に、当該警報表示している警報表示盤５の場所まで移動することなく、前記試験信号を入力している制御装置３Ｇのそばで、前記所持している第２の警報確認装置７により、前記警報表示盤５の警報表示窓５Ｇの警報表示を確認する。
【００２２】
なお、前記第１の警報確認装置６の監視カメラ部６１が、警報表示窓５Ｇのみでなく警報表示窓５Ｍ、・・・と広範囲に撮影するように前記第１の警報確認装置６の位置、の監視カメラ部６１の角度や焦点を設定しておけば、更に引き続き、警報表示窓５Ｍ、・・・に対応する制御装置３Ｍ、・・・に試験信号を入力し、前述と同様に前記警報表示盤５の設置場所まで移動することなく制御装置３Ｍ、・・・のそばで前記第２の警報確認装置７により、前記警報表示盤５の警報表示窓５Ｍ、・・・の警報表示を確認することができる。
【００２３】
また、担当者Ａは、警報表示盤５の設置場所まで移動することなく警報表示窓５Ｇ、５Ｍ、・・・の警報を確認できるので、当該確認を早く行えるので、警報表示盤５の設置場所に他の担当者Ｂなどの余分な担当者を配しなくても警報試験を早く終えることができる。警報試験を終えると、担当者Ａは、第２の警報確認装置７の警報リセットスイッチ操作ボタン７ＳＲを操作する。警報リセットスイッチ操作ボタン７ＳＲが操作されると、無線通信システム６７ＲＦＴを介して第１の警報確認装置６の第２の警報リセットスイッチ６ＳＲが閉じ、警報表示盤５の警報動作状態をリセットする。なお、警報表示盤５の警報動作状態のリセットは、例えば、警報表示盤５のリレ−出力５１の自己保持回路（図示省略）の動作解除などの周知の手段により行われる。
【００２４】
実施の形態２．
図３はこの発明の実施の形態２を示す図で、プラントの警報表示確認システムの構成例を示す図であり、図示のように、前記警報表示盤５に、前記第１の警報停止スイッチ５ＳＡおよび前記第１の警報リセットスイッチ５ＳＲを作動させる第１のコントロ−ラ５Ｃを設けると共に、前記第１の警報確認装置６に、前記第２の警報確認装置７の警報停止スイッチ操作ボタン７ＳＡおよび警報リセットスイッチ操作ボタン７ＳＲによって前記無線通信システム６７ＲＦＴを介して作動され前記警報表示盤５の第１のコントロ−ラ５Ｃを第２の無線システム５６ＲＦＴを介して作動させる第２のコントロ−ラ６Ｃを設けることにより、前述のこの発明の実施の形態１（図２）のような接続ケ−ブル６２を使用することなく前述の警報表示の確認ができるようにしたものである。なお、警報試験時の動作は前述のこの発明の実施の形態１の場合とほぼ同じであるのでその説明は省略する。
【００２５】
なお、前述のこの発明の実施の形態１および実施の形態２の何れの場合も、警報試験を主体にして説明したが、警報試験時以外の定常運転中に発生する異常に基づく警報表示盤５の警報表示をも第２の警報確認装置７で表示できることは言うまでもない。
【００２６】
【発明の効果】
この発明は前述のように、プラントを構成する設備の異常時に警報する警報表示盤の警報警報表示窓を撮影する監視カメラ部を有すると共に前記警報表示盤の警報を停止する警報停止機能を有する第１の警報確認装置、及びこの第１の警報確認装置と無線通信システムで接続され前記監視カメラ部による撮影画像を表示する監視モニタ部と前記警報停止機能を作動させる警報停止機能を有する携帯形の第２の警報確認装置を備え、前記第２の警報確認装置の警報停止機能により前記第１の警報確認装置の警報停止機能を作動させることにより前記警報表示盤の警報を停止するようにしたので、余分な担当者を配することなく早く警報表示の確認をすることができる効果がある。
【図面の簡単な説明】
【図１】この発明の実施の形態１を示す図で、プラントの警報表示確認システムの構成例を示す図。
【図２】この発明の実施の形態１を示す図で、警報表示盤における警報停止機能を司る第１の警報停止スイッチと並列をなす第２の警報停止スイッチを第１の警報確認装置に設け第２の警報確認装置により第２の警報停止スイッチを作動させて警報を停止する接続例を示す図。
【図３】この発明の実施の形態２を示す図で、プラントの警報表示確認システムの構成例を示す図。
【符号の説明】
２Ｇ，２Ｍ，・・・２Ｎ  設備、
５  警報表示盤、
５Ｃ  第１のコントロ−ラ、
５Ｇ，５Ｍ，・・・５Ｎ  警報表示窓、
５ＳＡ  第１の警報停止スイッチ、
５ＳＲ  第１の警報リセットスイッチ、
６  第１の警報確認装置、
６１  監視カメラ部、
６Ｃ  第２のコントロ−ラ、
６ＳＡ  第２の警報停止スイッチ、
６ＳＲ  第２の警報リセットスイッチ、
６７ＲＦＴ  無線通信システム、
７  第２の警報確認装置、
７１  監視モニタ部、
７ＳＡ  警報停止スイッチ操作ボタン、
７ＳＲ  警報リセットスイッチ操作ボタン。
【図１】
2004240666.tif 000003
【図２】
2004240666.tif 000004
【図３】
2004240666.tif 000005